【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
画像ソースにより供給される供給画像を表示面に表示する表示手段と、
前記表示面における指示位置を検出する位置検出手段と、
前記表示面の表示可能領域における前記指示位置の座標である第１の座標を算出する座標算出手段と、
前記座標算出手段により算出された前記第１の座標を、前記表示面における前記供給画像の位置を示す画像位置情報に基づいて、前記供給画像における座標である第２の座標に変換する座標変換手段と、
前記座標変換手段により得られた前記第２の座標を出力する出力手段と、
補正用の画像を表示する処理によって前記画像位置情報を補正する補正手段と、
を備えることを特徴とする表示装置。
【請求項２】
前記座標変換手段は、前記座標算出手段により算出された前記第１の座標を、前記供給画像の解像度、および、前記画像位置情報に基づいて、前記第２の座標に変換し、
前記補正手段は前記画像位置情報を補正することを特徴とする請求項１記載の表示装置。
【請求項３】
前記表示手段が表示する前記補正用の画像は、前記表示可能領域内に表示される可能性が高い位置に配置されたマーカーを含むことを特徴とする請求項１または２記載の表示装置。
【請求項４】
前記補正手段は、前記表示手段が前記補正用の画像を前記表示面に表示した状態で、前記位置検出手段によって検出された指示位置と、前記補正用の画像における前記マーカーの位置とに基づいて、前記画像位置情報を補正することを特徴とする請求項３記載の表示装置。
【請求項５】
前記補正手段は、前記表示手段によって前記表示面に表示された前記補正用の画像におけるマーカーを検出し、実際に検出したマーカーの検出位置に基づいて前記画像位置情報を補正することを特徴とする請求項３記載の表示装置。
【請求項６】
前記表示手段は、前記供給画像に基づいて前記表示面に表示する画像を、前記表示可能領域に対応するメモリーに展開する画像展開手段を備え、前記メモリーに展開された画像を前記表示面に表示するよう構成され、
前記補正手段は、前記メモリーに展開された画像における前記マーカーの位置を検出し、検出した位置に基づいて前記画像位置情報を補正することを特徴とする請求項３記載の表示装置。
【請求項７】
前記表示手段として、
光源が発した光を変調する光変調手段と、
前記供給画像に基づいて前記光変調手段に表示画像を形成する画像形成手段と、
前記画像形成手段により形成された表示画像を、前記表示面としての投射面に投射する投射手段と、を備えたプロジェクターであることを特徴とする請求項１から６のいずれかに記載の表示装置。
【請求項８】
画像ソースにより供給される供給画像を表示面に表示し、
前記表示面における指示位置を検出し、
前記表示面の表示可能領域における前記指示位置の座標である第１の座標を算出し、
算出した前記第１の座標を、前記表示面における前記供給画像の位置を示す画像位置情報に基づいて、前記供給画像における座標である第２の座標に変換し、
変換により得られた前記第２の座標を出力し、
補正用の画像を表示する処理によって前記画像位置情報を補正すること、
を特徴とする表示制御方法。
【手続補正２】
【補正対象書類名】明細書
【補正対象項目名】０００７
【補正方法】変更
【補正の内容】
【０００７】
また、本発明は、上記表示装置において、前記表示手段が表示する前記補正用の画像は、前記表示可能領域内に表示される可能性が高い位置に配置されたマーカーを含むことを特徴とする。
本発明によれば、表示可能領域に位置するマーカーを用いて、画像位置情報を正確かつ速やかに補正でき、正確な座標を出力できる。
【手続補正３】
【補正対象書類名】明細書
【補正対象項目名】００２５
【補正方法】変更
【補正の内容】
【００２５】
表示制御部１０７は、ＰＣ１３から画像入力部１０４に入力されるアナログ画像信号のリフレッシュレート、水平解像度及び垂直解像度を判別して、この入力信号に対応する画面モードを、プロジェクター１１が表示可能な画面モードとして予め設定された複数の画面モードのいずれかに決定する。表示制御部１０７は、画像入力部１０４が決定した画面モードに合わせて、表示するために必要な処理を決定し、画像処理部１１３を制御して当該処理を実行する。画像処理部１１３は、表示制御部１０７の制御に従って、画像入力部１０４に入力された画像データをフレームメモリー１１５に展開し、インターレース／プログレッシブ変換、解像度変換等の各種変換処理を適宜実行し、フレームメモリー１１５に描画した表示画像を表示するための所定フォーマットの画像信号を生成して、表示制御部１０７に出力する。なお、プロジェクター１１は、入力された画像データの解像度やアスペクト比を変更して表示することもでき、入力された画像データの解像度やアスペクト比を維持したままドットバイドットで表示することも可能である。また、画像処理部１１３は、表示制御部１０７の制御に従って、キーストーン補正、カラーモードに対応した色調補正、画像の拡大／縮小処理等の各種の画像処理を実行可能である。表示制御部１０７は、画像処理部１１３により処理された画像信号を光変調装置駆動部１１９に出力し、光変調装置３２に表示させる。また、画像処理部１１３は、表示中の画像データの解像度、アスペクト比、光変調装置３２の液晶表示パネルにおける表示サイズ等の情報から、画像位置情報（画像位置データ）を導出し、求めた画像位置情報を座標変換部１６０に出力する。画像位置情報は、実投射領域１１Ｂ内のどの位置に表示画像が投射される（表示される）のかを示す情報である。換言すれば、画像位置情報は、実投射領域１１Ｂにおける表示画像の配置に関する情報であって、実投射領域１１Ｂにおける表示画像の位置（配置）を示している。この画像位置情報は、ＰＣ１３の表示解像度が変化することによってＰＣ１３がプロジェクター１１に出力する画像データの解像度が変化した場合（例えば、ＰＣ１３において解像度に関する設定が変更された場合）等に変化する。なお画像位置情報は、光変調装置３２の変調領域における画像の配置に関する情報であると考えることもできる。
【手続補正４】
【補正対象書類名】明細書
【補正対象項目名】００７３
【補正方法】変更
【補正の内容】
【００７３】
上述した例ではＰＣ１３が記憶部１３４に補正用画像２１０の補正用画像データ１３Ｃを記憶し、ＰＣ１３が実行する専用のプログラムである表示制御プログラム１３Ａの機能によって、補正用画像２１０をプロジェクター１１に出力するものとして説明したが、ＰＣ１３により、汎用のプログラムを実行し、必要に応じて補正用画像を生成させることもできる。
図９（Ｂ）に示す補正用画像２１０は、背景にポインター２２１が配置された画像である。表示システム１０では、図４（Ｂ）を参照して説明したように、プロジェクター１１が位置検出ユニット１５０によって検出した位置の座標をＰＣ１３に出力し、ＰＣ１３が、入力された座標に対応する位置にポインター１２Ａ等を表示する。この場合、ＰＣ１３は、マウス等のポインティングデバイスを利用するための汎用のデバイスドライバープログラムを用いて、プロジェクター１１から入力される座標を取得し、この座標に対応する位置にポインター１２Ａを表示する処理を行う。この場合、表示制御プログラム１３Ａは専用のプログラムである必要はない。
この構成において、プロジェクター１１が規定の位置、例えば画面全体の上から３分の１かつ画面の左端から３分の１の位置の座標を出力すると、ＰＣ１３は、図９（Ｂ）に示す補正用画像２１０を生成して、プロジェクター１１に出力する。補正用画像２１０中には、プロジェクター１１から入力された座標に対応してポインター２２１が配置されている。つまり、プロジェクター１１が指定した位置に、参照ポイントとして使用可能なポインター２２１が配置されている。このように、専用のプログラムをＰＣ１３が実行しなくても、プロジェクター１１がＰＣ１３に出力する情報に基づいて、参照ポイントとして使用可能なマーカーとしてのポインター２２１を含む補正用画像２１０を、出力させることができる。なお、プロジェクター１１から入力された規定の位置を示す座標に基づいてＰＣ１３がポインター２２１を表示するときに、現在の位置から規定の位置までポインター２２１を移動させても良い。このようにすれば、ポインター２２１の位置をユーザーが容易に視認することができる。
【手続補正５】
【補正対象書類名】明細書
【補正対象項目名】００７４
【補正方法】変更
【補正の内容】
【００７４】
この方法では、プロジェクター１１の制御によって補正用画像２１０の背景色を変更することは困難であるから、ポインター２２１の先端位置をユーザーが指示体１２によって指し示し、この指示位置をプロジェクター１１が検出して補正処理を実行する構成としてもよい。この場合、撮像部１５３の撮影画像データからポインター２２１を抽出する処理の負荷を軽減でき、補正用画像２１０の背景色や、背景にポインター２２１以外の画像が表示されていても、速やかに補正処理を行える。この場合、プロジェクター１１が、少なくとも２点の座標についてＰＣ１３へ出力してこの２点でポインター２２１を表示させるとともに、この２点の実投射領域１１Ｂ上の位置をユーザーが指示体１２によって指し示すことが好ましい。
【手続補正６】
【補正対象書類名】明細書
【補正対象項目名】００７５
【補正方法】変更
【補正の内容】
【００７５】
制御部１０３は、補正用画像２１０を投射した状態で、撮像部１５３により撮影を実行させ、撮影画像データからポインター２２１を抽出する。そして、例えばポインター２２１の先端位置と、ポインター２２１の長さとをもとに、上記の処理と同様に補正用画像２１０全体の画素数すなわち解像度を算出する。補正用画像２１０を利用した場合、ＰＣ１３が専用のプログラムを実行することなく、プロジェクター１１がＰＣ１３に出力する座標を変更するだけで、補正処理を行える。
【手続補正７】
【補正対象書類名】明細書
【補正対象項目名】００８１
【補正方法】変更
【補正の内容】
【００８１】
また、投射ユニット３が表示する補正用画像は、例えば、単色の背景と、実投射領域１１Ｂ内に表示される可能性が高い所定の位置に配置されたマーカー２１１とを含むので、実投射領域１１Ｂに位置するマーカー２１１を検出し、速やかに補正処理を実行できる。
プロジェクター１１は、ＰＣ１３から入力される補正用画像２１０をスクリーンＳＣに投射し、スクリーンＳＣを撮影した撮影画像データに基づいて、マーカー２１１、ポインター２２１を自動的に検出することも可能である。
また、補正処理において、ユーザーの位置指示操作によって参照ポイントを検出することも可能である。すなわち、制御部１０３は、投射ユニット３が補正用画像２１０をスクリーンＳＣに表示した状態で、位置検出ユニット１５０によって検出された指示位置と、補正用画像２１０におけるポインター２２１の位置とに基づいて、解像度に関する情報を補正できる。
【手続補正８】
【補正対象書類名】明細書
【補正対象項目名】００９３
【補正方法】変更
【補正の内容】
【００９３】
また、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当し、その表示画面が表示面に相当する。より詳細には、画像を表示可能な領域全体が上記実施形態の実投射領域１１Ｂまたは最大投射領域１１Ａに相当する。